(57)【要約】【課題】オンライン作業の作業状態の管理をより効率良く行う。【解決手段】複数の作業者端末とネットワークを介して接続され、複数の作業者端末を介して行われる複数のオンライン作業の作業状態を管理するファイルサーバ４である。複数の作業者によるオンライン作業の複数の下位管理者を管理するための上位管理者により使用される上位管理者端末とネットワークを介して接続されている。下位管理者毎に上位管理者による管理権限の有無に係る管理権限情報を記憶する管理権限情報テーブルｂ４と、上位管理者端末の通信制御部から送信され、管理権限情報テーブルｂ４の管理権限の有無の変更指示に係る管理権限変更指示信号を受信する通信制御部４４と、受信された管理権限変更指示信号に基づいて、管理権限情報テーブルｂ４に記憶されている管理権限情報の管理権限を下位管理者毎に変更するＣＰＵ４１１とを備える。【選択図】図２
2006155295.tif 000002
【特許請求の範囲】
【請求項１】
複数の作業者により使用される複数の作業者端末と所定の通信回線を介して接続され、前記複数の作業者端末を介して行われる複数のオンライン作業の作業状態を管理する作業管理サーバであって、
前記複数の作業者による前記オンライン作業の複数の下位管理者を管理するための少なくとも一の上位管理者により使用される上位管理者端末と所定の通信回線を介して接続され、
前記下位管理者毎に前記上位管理者による管理権限の有無に係る管理権限情報を記憶する管理権限情報記憶手段と、
前記上位管理者端末から送信され、前記管理権限の有無の変更指示に係る管理権限変更指示情報を受信する変更指示情報受信手段と、
前記変更指示情報受信手段により受信された前記管理権限変更指示情報に基づいて、前記管理権限情報記憶手段に記憶されている前記管理権限情報の前記管理権限を前記下位管理者毎に変更する管理権限変更手段と、を備えることを特徴とする作業管理サーバ。
【請求項２】
複数の作業者により使用される複数の作業者端末と、前記複数の作業者端末と所定の通信回線を介して接続され、前記複数の作業者端末を介して行われる複数のオンライン作業の作業状態を管理する作業管理サーバと、前記作業管理サーバと所定の通信回線を介して接続され、前記複数の作業者による前記オンライン作業の複数の下位管理者を管理するための少なくとも一の上位管理者により使用される上位管理者端末と、を備える作業管理システムであって、
前記上位管理者端末は、
前記上位管理者による前記下位管理者の管理権限の有無の変更指示に係る管理権限変更指示情報を送信する変更指示情報送信手段を備え、
前記作業管理サーバは、
前記下位管理者毎に前記管理権限の有無に係る管理権限情報を記憶する管理権限情報記憶手段と、
前記変更指示情報送信手段から送信された前記管理権限変更指示情報を受信する変更指示情報受信手段と、
前記変更指示情報受信手段により受信された前記管理権限変更指示情報に基づいて、前記管理権限情報記憶手段に記憶されている前記管理権限情報の前記管理権限を前記下位管理者毎に変更する管理権限変更手段と、を備えることを特徴とする作業管理システム。
【請求項３】
前記上位管理者端末は、
前記管理権限変更指示情報の入力画面を表示する表示手段と、
前記表示手段に表示された前記入力画面を介して前記管理権限変更指示情報を入力するための変更指示情報入力手段と、を備え、
前記変更指示情報送信手段は、前記変更指示情報入力手段により入力された前記管理権限変更指示情報を送信することを特徴とする請求項２に記載の作業管理システム。
【発明の詳細な説明】
【技術分野】
【０００１】
本発明は、オンライン作業の作業状態を管理するための作業管理サーバ及び作業管理システムに関する。
【背景技術】
【０００２】
近年、社内ＬＡＮ等のネットワーク化が急速に進んでおり、当該社内ＬＡＮ等を介して所定の仕事（作業）をオンラインにて行うことができるようなシステムが提案されている。具体的には、所定の記憶装置の記憶領域に作業者によるオンライン作業の対象となるデータが格納されたデータ格納ディレクトリを設けておき、作業者が所定の端末装置から記憶装置のデータ格納ディレクトリにアクセスして、このデータ格納ディレクトリと端末装置の作業ディレクトリとを接続する（オンラインにする）ことにより、所定のオンライン作業を行うようになっている（例えば、特許文献１参照。）。
【０００３】
また、作業者によるオンライン作業を管理者（下位管理者）が直接管理して、この管理者によるオンライン作業の管理をオーナー管理者（上位管理者）が管理することで、オンライン作業の作業管理を階層的に行うように構成された作業管理システムも提案されている（例えば、特許文献２参照。）。
【特許文献１】特開２００３−２８０９４７号公報
【特許文献２】特開２００４−７０９１７号公報
【発明の開示】
【発明が解決しようとする課題】
【０００４】
しかしながら、上記特許文献２等の場合、オーナー管理者は、一旦管理対象とされた管理者を全て管理下にするか、又は、これらの管理を全て解除するかの何れか一方しか選択することができなかったため、オンライン作業の管理を行う上で、当該管理を効率良く行うことができなかった。
【０００５】
そこで、本発明の課題は、オンライン作業の作業状態の管理をより効率良く行うことができる作業管理サーバ及び作業管理システムを提供することである。
【課題を解決するための手段】
【０００６】
上記課題を解決するため、請求項１に記載の発明は、
複数の作業者により使用される複数の作業者端末と所定の通信回線を介して接続され、前記複数の作業者端末を介して行われる複数のオンライン作業の作業状態を管理する作業管理サーバであって、
前記複数の作業者による前記オンライン作業の複数の下位管理者を管理するための少なくとも一の上位管理者により使用される上位管理者端末と所定の通信回線を介して接続され、
前記下位管理者毎に前記上位管理者による管理権限の有無に係る管理権限情報を記憶する管理権限情報記憶手段と、
前記上位管理者端末から送信され、前記管理権限の有無の変更指示に係る管理権限変更指示情報を受信する変更指示情報受信手段と、
前記変更指示情報受信手段により受信された前記管理権限変更指示情報に基づいて、前記管理権限情報記憶手段に記憶されている前記管理権限情報の前記管理権限を前記下位管理者毎に変更する管理権限変更手段と、を備えることを特徴とする。
【０００７】
請求項２に記載の発明は、
複数の作業者により使用される複数の作業者端末と、前記複数の作業者端末と所定の通信回線を介して接続され、前記複数の作業者端末を介して行われる複数のオンライン作業の作業状態を管理する作業管理サーバと、前記作業管理サーバと所定の通信回線を介して接続され、前記複数の作業者による前記オンライン作業の複数の下位管理者を管理するための少なくとも一の上位管理者により使用される上位管理者端末と、を備える作業管理システムであって、
前記上位管理者端末は、
前記上位管理者による前記下位管理者の管理権限の有無の変更指示に係る管理権限変更指示情報を送信する変更指示情報送信手段を備え、
前記作業管理サーバは、
前記下位管理者毎に前記管理権限の有無に係る管理権限情報を記憶する管理権限情報記憶手段と、
前記変更指示情報送信手段から送信された前記管理権限変更指示情報を受信する変更指示情報受信手段と、
前記変更指示情報受信手段により受信された前記管理権限変更指示情報に基づいて、前記管理権限情報記憶手段に記憶されている前記管理権限情報の前記管理権限を前記下位管理者毎に変更する管理権限変更手段と、を備えることを特徴とする。
【０００８】
請求項３に記載の発明は、請求項２に記載の作業管理システムにおいて、
前記上位管理者端末は、
前記管理権限変更指示情報の入力画面を表示する表示手段と、
前記表示手段に表示された前記入力画面を介して前記管理権限変更指示情報を入力するための変更指示情報入力手段と、を備え、
前記変更指示情報送信手段は、前記変更指示情報入力手段により入力された前記管理権限変更指示情報を送信することを特徴とする。
【発明の効果】
【０００９】
請求項１に記載の発明によれば、所定の通信回線を介して接続された上位管理者端末から送信され、上位管理者による下位管理者の管理権限の有無の変更指示に係る管理権限変更指示情報を受信する変更指示情報受信手段と、受信された管理権限変更指示情報に基づいて、管理権限情報記憶手段に記憶されている下位管理者毎の上位管理者による管理権限の有無に係る管理権限情報の管理権限を変更する管理権限変更手段とが備えられているので、管理権限変更手段によって、上位管理者による管理対象となる下位管理者の各々を適宜変更することができ、下位管理者の管理を適正に行うことができる。従って、オンライン作業の作業状態の管理をより効率良く行うことができる。
【００１０】
請求項２に記載の発明によれば、複数の作業者端末を介して行われる複数のオンライン作業の作業状態を管理する作業管理サーバと、複数の下位管理者を管理するための少なくとも一の上位管理者により使用される上位管理者端末とが所定の通信回線を介して接続された作業管理システムであって、上位管理者端末から送信され、上位管理者による下位管理者の管理権限の有無の変更指示に係る管理権限変更指示情報を受信する変更指示情報受信手段と、受信された管理権限変更指示情報に基づいて、管理権限情報記憶手段に記憶されている下位管理者毎の上位管理者による管理権限の有無に係る管理権限情報の管理権限を変更する管理権限変更手段とが備えられている。従って、管理権限変更手段によって、上位管理者による管理対象となる下位管理者の各々を適宜変更することができ、下位管理者の管理を適正に行うことができる。これにより、オンライン作業の作業状態の管理をより効率良く行うことができる。
【００１１】
請求項３に記載の発明によれば、請求項２に記載の発明と同様の効果が得られるのは無論のこと、特に、上位管理者端末には、管理権限変更指示情報の入力画面を表示する表示手段と、表示手段に表示された入力画面を介して管理権限変更指示情報を入力するための変更指示情報入力手段と、が備えられているので、管理権限変更指示情報の入力を表示手段に表示された入力画面並びに変更指示情報入力手段を介して効率良く行うことができる。従って、上位管理者による管理対象者となる下位管理者の変更をより簡便に行うことができ、作業管理システムをより魅力的なものとすることができる。
【発明を実施するための最良の形態】
【００１２】
以下に、本発明について、図面を用いて具体的な態様を説明する。ただし、発明の範囲は、図示例に限定されない。
ここで、図１は、本発明を適用した一実施形態として例示する作業管理システム１００を説明するための図である。
【００１３】
作業管理システム１００は、ネットワークで接続されたコンピュータ環境でデータにアクセスしながら作業（オンライン作業）を行うような場合に好ましく適用でき、具体的には、図１に示すように、作業者（オペレータ）により使用される複数（図１には、２つのみ図示）の作業者端末１、…と、作業者によるオンライン作業を管理する複数の下位管理者により使用される複数（図１には、２つのみ図示）の下位管理者端末２と、下位管理者を管理する上位管理者により使用される上位管理者端末３と、作業者、下位管理者、上位管理者により行われる所定のオンライン作業の作業状態を管理するファイルサーバ（作業管理サーバ）４とがネットワーク（所定の通信回線）５を介して接続されている。
なお、本発明に係る作業管理システム１００は、例えば、ＤＴＰ、プリプレスといった印刷業界やＸ線画像を管理運用する医療業界、また、オンライン出版、電子出版、ポストカード作成等の写真・画像処理業界において適用可能である。
また、ネットワーク５は、専用線や既存の一般公衆回線を利用して構築された通信ネットワーク（通信回線）であり、ＬＡＮやＷＡＮ等の様々な回線形態を適用することが可能である。ネットワーク５には、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００１４】
以下、ファイルサーバ４について図２を参照して説明する。ここで、図２は、ファイルサーバ４の概略構成示すブロック図である。
図２に示すように、ファイルサーバ４は、制御部４１と、表示部４２と、操作入力部４３と、通信制御部４４等を備えて構成されている。
【００１５】
制御部４１は、作業管理プログラムｃ１の実行に基づいて、オンライン作業の作業状態を管理するための種々の処理を行うためのものであり、各種の演算処理等を行うＣＰＵ４１１と、このＣＰＵ４１１のワークエリア等として使用されるとともに、ＣＰＵ４１１が各部を制御するのに必要な所定のプログラム等が記憶された記憶部４１２とを備えている。
【００１６】
ＣＰＵ（Central Processing Unit）４１１は、記憶部４１２のプログラムエリア４１２ｃ内に格納されたプログラムを読み出して作業エリア４１２ａ内に展開し、当該プログラムに基づいて各部への指示やデータの送受信の制御を行う。
【００１７】
記憶部４１２には、ＣＰＵ４１１のワークエリアとして機能するための作業エリア４１２ａと、各種情報データベース等が記憶されたデータエリア４１２ｂと、ＣＰＵ４１１に実行させるプログラムが格納されたプログラムエリア４１２ｃとが形成されている。
【００１８】
データエリア４１２ｂには、作業管理データベースｂ１、データ格納ディレクトリｂ２、権限ユーザデータベースｂ３、管理権限情報テーブルｂ４、公開条件テーブルｂ５等が記憶されている。
【００１９】
作業管理データベースｂ１は、各作業者によるオンライン作業の進捗状況等の作業状態を記憶するためのものである。即ち、作業管理データベースｂ１には、各オンライン作業ファイルと対応付けて、オンライン作業毎に当該作業が既に開始されている場合には、その開始日時や作業時間に係るデータ、作業が中断中である場合には、その中断日時に係るデータ、未だ作業が開始されていない場合にはその状態に係る所定のデータ等が記憶されるようになっている。
【００２０】
データ格納ディレクトリｂ２は、オンライン作業に関するオンライン作業ファイル（オンライン作業情報）を格納するものである。
ここで、オンライン作業は、例えば、複数の関連性を有するオンライン作業（アクション）により一のジョブを構成するようになっており、データ格納ディレクトリｂ２には、例えば、ジョブ毎に所定数のオンライン作業ファイルが記憶されている。
【００２１】
なお、ジョブとは、例えば、所定数のオンライン作業（アクション）により定義される仕事の単位である。具体的には、例えば、所定の雑誌の表紙画像データの処理として、「入力」、「色補正」、「出力」の３つがある場合には、「雑誌の表紙」がジョブに対応し、「入力」、「色補正」、「出力」の３つの処理がオンライン作業に対応するものである。
【００２２】
権限ユーザデータベースｂ３は、各オンライン作業毎に、オンライン作業ファイルに対するアクセス権限を有するユーザ、即ち、当該オンライン作業の作業者、この作業者の管理者である下位管理者（オーナー）や上位管理者（オーナー管理者）等のＩＤやパスワード等を記憶するものである。即ち、権限ユーザデータベースｂ３に記憶されているユーザが、オンライン作業ファイルの公開対象者となっている。
なお、下位管理者は、作業者に対して各オンライン作業の割り当て等を行う者であり、下位管理者としては、例えば、作業者を管理する当該作業者の直属の長が挙げられ、上位管理者としては、例えば、下位管理者を管理する当該下位管理者の直属の長が挙げられる。
【００２３】
管理権限情報テーブルｂ４は、管理権限情報記憶手段として、下位管理者毎に上位管理者による管理権限の有無に係る管理権限情報を記憶するものである。より具体的には、上位管理者端末３の操作入力部３４（図１１参照）の所定操作に基づいて入力指示された、上位管理者による下位管理者の管理権限の有無の変更指示に係る管理権限変更指示信号が通信制御部３５を介して送信されて、ファイルサーバ４の通信制御部４４にて受信されることにより、受信された管理権限変更指示信号に基づいて、ＣＰＵ４１１の制御下にて管理権限情報テーブルｂ４に記憶されている管理権限情報が変更され記憶されるようになっている。
【００２４】
公開条件テーブルｂ５は、制御部４１の制御下にて、権限ユーザデータベースｂ３に規定されたユーザに対するオンライン作業ファイルの公開に係る公開モード設定処理や公開モード変更処理や並列公開モード処理等を実行するためのものである。具体的には、図３に示すように、公開条件テーブルｂ５は、例えば、ジョブＩＤと、作業者の識別情報（オペレータＩＤ）と、中断時実績情報に係る中断日時情報と、ジョブ情報のＷｅｂ公開フラグ（「０」：非公開の場合、「１」：公開の場合）等が対応付けられている。
なお、図示は省略するが、公開条件テーブルｂ５は、例えば、上記各種情報と対応付けて、さらに、ジョブ情報の公開制御ＩＤ（公開条件、「Ａ」：非ＮＵＬＬの状態）、アクション情報（オンライン作業ファイル）の公開フラグ（「０」：非公開の場合、「１」：公開の場合）等が記憶されたものであっても良い。
【００２５】
プログラムエリア４１２ｃには、作業管理プログラムｃ１、管理権限変更プログラムｃ２、公開モード設定プログラムｃ３、公開モード変更プログラムｃ４、同公開モード設定プログラムｃ５、公開中止プログラムｃ６等が記憶されている。
【００２６】
作業管理プログラムｃ１は、制御部４１の制御下にて、記憶部４１２のオンライン作業ファイルを格納したデータ格納ディレクトリｂ２と、作業者端末１の記憶部１２（図４参照）に形成される作業ディレクトリ１２２ａとを論理的に接続（マウント）して作業を行うオンライン作業の作業状態を管理する機能を実現させるためのプログラムである。
より具体的には、作業者端末１から送信されたデータ格納ディレクトリｂ２に対するアクセス要求信号の通信制御部４４による受信に基づいて、所定の判定プログラムに従ってアクセスが許可されていると判定された場合に、ＣＰＵ４１１による作業管理プログラムｃ１の実行に基づいて、アクセス要求されたデータ格納ディレクトリｂ２と作業者端末１の作業ディレクトリ１２２ａとを接続させる。また、当該作業管理プログラムｃ１の実行下においては、ＣＰＵ４１１は、作業ディレクトリ１２２ａとデータ格納ディレクトリｂ２とが接続されている時間を作業者によるオンライン作業の作業時間とみなして、その作業時間を当該オンライン作業の進捗状況として作業管理データベースｂ１に記憶させる。
【００２７】
管理権限変更プログラムｃ２は、上位管理者端末３の通信制御部３５（図１１参照）から送信され通信制御部４４により受信された管理権限変更指示信号に基づいて、管理権限情報テーブルｂ４に記憶されている管理権限情報の上位管理者による下位管理者の管理権限を下位管理者毎に変更する機能を実現させるプログラムである。ここで、ＣＰＵ４１１により管理権限変更プログラムｃ２が実行されることに基づいて、制御部４１が管理権限変更手段として機能する。
【００２８】
公開モード設定プログラムｃ３は、通信制御部４４により受信された公開条件指示情報に基づいて、権限ユーザデータベースｂ３に規定されているユーザ（公開対象者情報に係る公開対象者）に対してのオンライン作業ファイルの公開モードを設定する機能を実現させるプログラムである。
なお、公開モードとしては、例えば、オンライン作業ファイルのアップロード並びにダウンロードを実行可能な「アップロード／ダウンロード可」、アップロードのみ実行可能な「アップロード可」、ダウンロードのみ実行可能な「ダウンロード可」、プレビューのみ実行可能な「プレビューのみ」の何れかを設定可能となっている（図６参照）。
【００２９】
公開モード変更プログラムｃ４は、通信制御部４４により受信された公開モード変更指示情報に基づいて、ＣＰＵ４１１による公開モード設定プログラムｃ３の実行に従って設定された公開モードを変更する機能を実現させるプログラムである。
【００３０】
同公開モード設定プログラムｃ５は、一のジョブが複数のオンライン作業ファイルによる構成されている場合に、複数のオンライン作業ファイルのうち、何れか一のオンライン作業ファイルの公開モードの設定に基づいて、当該一のオンライン作業ファイル以外のジョブを構成するオンライン作業ファイルの公開モードを一のオンライン作業ファイルの公開モードと同じになるように設定する機能を実現させるプログラムである。
【００３１】
公開中止プログラムｃ６は、通信制御部４４により受信された公開中止指示情報に基づいて、制御部４１の制御下にて公開モードが設定されたオンライン作業ファイルの公開を中止させる機能を実現させるプログラムである。
【００３２】
表示部４２は、例えば、ユーザに報知するために種々の情報を表示するＣＲＴ（Cathode Ray Tube）、液晶ディスプレイ（ＬＣＤ）等を備えて構成されている。
【００３３】
操作入力部４３は、例えば、ユーザが所定の操作を行うためのキーボードやマウス等を備え、ユーザによる操作に基づいて操作信号を制御部４１に出力するようになっている。
【００３４】
通信制御部４４は、例えば、制御部４１の制御下にて、作業者端末１との間で情報の通信制御を行うためのものである。
具体的には、通信制御部４４は、上位管理者端末３の通信制御部３５から送信された、管理権限の有無の変更を指示する管理権限変更指示信号を受信するようになっている。ここで、通信制御部４４は、変更指示情報受信手段として機能する。
【００３５】
また、通信制御部４４は、作業者端末１の通信制御部１５（図４参照）から送信され、データ格納ディレクトリｂ２に記憶されたオンライン作業ファイルの公開条件を指示する公開条件指示情報を受信するようになっている。
また、通信制御部４４は、作業者端末１の通信制御部１５から送信され、制御部４１の制御下にて設定されたオンライン作業ファイルの公開モードの変更を指示する公開モード変更指示情報を受信するようになっている。
さらに、通信制御部４４は、作業者端末１の通信制御部１５から送信され、制御部４１の制御下にて設定された公開モードに従ったオンライン作業ファイルの公開の中止を指示する公開中止指示情報を受信するようになっている。
【００３６】
次に、作業者端末１について図４を参照して説明する。ここで、図４は、作業者端末１の概略構成を示すブロック図である。
作業者端末１は、例えば、パーソナルコンピュータ等から構成されており、具体的には、例えば、図４に示すように、ＣＰＵ１１と、記憶部１２と、表示部１３と、操作入力部１４と、通信制御部１５等を備え、各部はバス１Ａにより接続されている。
【００３７】
ＣＰＵ１１は、記憶部１２に記憶されている作業者端末１としての機能に関る各種プログラムを読み出して記憶部１２の作業領域に展開し、当該プログラムに従って各種処理を実行するものである。
【００３８】
記憶部１２には、ＣＰＵ１１の作業エリア１２１と、オンライン作業にてファイルサーバ４のデータ格納ディレクトリｂ２と接続される作業ディレクトリ１２２ａ等を格納するデータエリア１２２と、ＣＰＵ１１に実行されるプログラムが格納されたプログラムエリア１２３とが形成されている。
【００３９】
表示部１３は、例えばＣＲＴやＬＣＤ等により構成されており、ＣＰＵ１１から出力された所定の表示制御信号に従って各種の画面表示を行うようになっている。
【００４０】
また、表示部１３は、図５に示すように、公開条件設定画面Ｇ１を表示して、ファイルサーバ４のデータ格納ディレクトリｂ２に格納されているオンライン作業ファイルの公開条件を指示する公開条件指示情報の入力、より具体的には、作業者によるマウス操作に基づいて所定の公開条件の指定を受け付けるようになっている。
また、表示部１３は、図７に示すように、公開条件変更画面Ｇ２を表示して、設定されたオンライン作業ファイルの公開モードの変更を指示する公開モード変更指示情報の入力、より具体的には、作業者によるマウス操作に基づいて新規の公開条件の指定を受け付けるようになっている。
さらに、一のジョブが複数のオンライン作業から構成され、ジョブの公開モードが並列アクション公開モードに設定されている場合には、表示部１３は、ジョブを構成する一のオンライン作業の公開条件を設定する公開条件設定画面Ｇ１（図５参照）を表示する前に、図８に示すように、予め設定された他のオンライン作業ファイルの公開条件を並列アクション設定画面Ｇ３に表示するようになっている。
【００４１】
また、公開モード設定処理等にて公開モードが設定されると、図９に示すように、設定された公開モードの確認画面Ｇ４を表示部１３に表示可能となっている。
【００４２】
操作入力部１４は、例えば、マウスや各種の操作キーによって構成されるキーボードを備え、当該マウスやキーボードのユーザによる操作に基づいて操作信号をＣＰＵ１１に出力するようになっている。
【００４３】
通信制御部１５は、例えば、ＣＰＵ１１の制御下にて、ファイルサーバ４との間で情報の通信制御を行うためのものである。
【００４４】
さらに、通信制御部１５は、作業者による操作入力部１４の所定操作に基づいて入力されたオンライン作業ファイルの公開条件を指示する公開条件指示情報をファイルサーバ４に対して送信するようになっている。
また、通信制御部１５は、作業者による操作入力部１４の所定操作に基づいて入力された、設定されたオンライン作業ファイルの公開モードの変更を指示する公開モード変更指示情報をファイルサーバ４に対して送信するようになっている。
さらに、通信制御部１５は、作業者による操作入力部１４の所定操作に基づいて入力された、設定されたオンライン作業ファイルの公開の中止を指示する公開中止指示情報をファイルサーバ４に対して送信するようになっている。
【００４５】
下位管理者端末２は、例えば、上述した作業者端末１と同様にパーソナルコンピュータ等から構成されており、具体的には、図１０に示すように、ＣＰＵ２１と、記憶部２２と、表示部２３と、操作入力部２４と、通信制御部２５等を備え、各部はバス２Ａにより接続されている。
【００４６】
また、下位管理者端末２は、下位管理者による操作入力部２４の所定操作に基づいて、一のジョブを構成するオンライン作業を作成して、当該オンライン作業を担当する作業者の割り当て等を行うためのものである。
即ち、通信制御部２５は、下位管理者による操作入力部２４の所定操作に基づいて入力された各オンライン作業の担当作業者に係る情報をファイルサーバ４に対して送信するようになっている。
【００４７】
さらに、下位管理者端末２は、ＣＰＵ２１の制御下にて、作業者端末１を介して設定された公開モードに従ってファイルサーバ４に記憶されているオンライン作業ファイル及び当該オンライン作業ファイルに係る作業管理データベースｂ１に接続可能となっている。これにより、作業者によるオンライン作業の進捗状況等の作業状態の確認を行うことができるようになっている。
【００４８】
なお、下位管理者端末２は、上記説明した以外の点では作業者端末１と略同様であり、詳細な説明は省略する。
また、下位管理者端末２は、下位管理者がジョブを構成するオンライン作業の作業者として機能する場合には、作業者端末１として機能するようになっている。
【００４９】
上位管理者端末３は、例えば、上述した作業者端末１及び下位管理者端末２と同様にパーソナルコンピュータ等から構成されており、具体的には、図１１に示すように、ＣＰＵ３１と、記憶部３２と、表示部３３と、操作入力部３４と、通信制御部３５等を備え、各部はバス３Ａにより接続されている。
【００５０】
表示部３３は、表示手段として、ファイルサーバ４の管理権限情報テーブルｂ４に記憶されている管理権限情報の上位管理者による下位管理者の管理権限の有無の変更指示に係る管理権限変更指示の入力画面Ｇ５を表示するようになっている（図１２〜図１５参照）。
なお、図１２には、例えば、図示された３名の下位管理者（ユーザＩＤ及びユーザ名のカラムに対応する者）の「対象チェックボックス」Ｘ１が操作入力部３４のマウス等を介してチェックされることにより、これら下位管理者の全員が管理対象とされた状態（上位管理者による管理権限を有する状態）を図示し、図１３には、「対象チェックボックス」Ｘ１のチェックが外されることにより、全員が非管理対象とされた状態（管理権限がない状態）が図示されている。また、図１４には、３名の下位管理者のうちの２名が管理対象とされた状態を図示している。
ここで、上位管理者による下位管理者の管理権限の実効は、管理対象者となる下位管理者が記入されたカラムよりもさらに下側の「オーナー管理権限を有効にする」のチェックボックスＸ２がチェックされた後、「適用」ボタンＸ３がクリックされることで図られるようになっている。なお、図１５に示すように、「オーナー管理権限を有効にする」のチェックボックスＸ２がチェックされていない状態であっても、管理対象者の選択（「対象チェックボックス」Ｘ１のチェック）を行うことができるようになっている。
【００５１】
操作入力部３４は、変更指示情報入力手段として、表示部３３に表示された入力画面Ｇ５を介して管理権限変更指示を入力することができるようになっている。具体的には、表示部３３に表示された入力画面Ｇ５の中で、管理対象である下位管理者毎に「対象チェックボックス」Ｘ１が操作入力部３４のマウス等を介してチェックされたり、当該チェックが外されたりすることにより、上位管理者による下位管理者の管理権限の有無の変更指示に係る管理権限変更指示が入力されるようになっている。
【００５２】
通信制御部３５は、変更指示情報送信手段として、操作入力部３４を介して入力された管理権限変更指示に係る所定の操作信号を管理権限変更指示信号としてファイルサーバ４に対して送信するようになっている。
【００５３】
なお、上位管理者端末３は、上記説明した以外の点では作業者端末１及び下位管理者端末２と略同様であり、詳細な説明は省略する。
【００５４】
なお、オンライン作業の依頼主、即ち、顧客にあっては、例えば、下位管理者や上位管理者のＩＤやパスワードを用いることにより、オンライン作業ファイル及び当該オンライン作業ファイルに係る作業管理データベースｂ１に接続してオンライン作業の進捗状況を確認することができるようになっている。
【００５５】
上記説明した上位管理者端末３は、ＣＰＵ３１の制御下にて、作業者端末１を介して設定された公開モードに従ってファイルサーバ４に記憶されているオンライン作業ファイル及び当該オンライン作業ファイルに係る作業管理データベースｂ１のうち、ファイルサーバ４の管理権限情報テーブルｂ４の管理権限情報に従って、上位管理者による管理対象とされた下位管理者に係るものにのみ接続可能となっている。これにより、上位管理者にあっては、作業者及び下位管理者によるオンライン作業の進捗状況等の作業状態の確認を行うことができるようになっている。
【００５６】
以下に、ファイルサーバ４の管理権限情報テーブルｂ４の上位管理者による下位管理者の管理権限の有無の設定方法について、図１６を参照して説明する。
ここで、図１６は、作業管理システム１００による管理権限設定処理に係る動作の一例を示すフローチャートである。
【００５７】
先ず、以下に説明する管理権限設定処理にあっては、ファイルサーバ４の記憶部４１２の管理権限情報テーブルｂ４には、例えば、全ての下位管理者に対する上位管理者による管理権限が「有り」とされた、即ち、全ての下位管理者が管理対象とされた状態（図１２参照）の管理対象情報が記憶された状態となっている。
そして、図１６に示すように、上位管理者による管理権限設定処理の実行の際には、当該上位管理者による上位管理者端末３の操作入力部３４の所定操作により作業管理システム１００をオーナーモードで起動した後、例えば、操作入力部３４を介した当該上位管理者のＩＤ及びパスワードの入力に基づいて、当該作業管理システム１００にログインする（ステップＳ１）。すると、上位管理者端末３の表示部３３に所定のダイアログ画面（図示略）が表示される。
【００５８】
そして、上位管理者による操作入力部３４の所定操作に基づいて、ダイアログ画面上にて「権限設定」が選択されると、管理権限変更指示の入力画面Ｇ５が表示部１３に表示される（ステップＳ２）。次に、上位管理者による操作入力部３４のマウス等の所定操作に基づいて、管理権限が変更される下位管理者の「対象チェックボックス」Ｘ１のチェックが外された後（図１４参照）、「オーナー管理権限を有効にする」のチェックボックスＸ２がチェックされた状態で「適用」ボタンＸ３がクリックされると、ＣＰＵ３１は、当該「適用」ボタンのクリックに係る操作入力部３４の操作信号を管理権限変更指示信号として通信制御部３５によりファイルサーバ４に対して送信する（ステップＳ３）。
【００５９】
ファイルサーバ４にあっては、上位管理者端末３の通信制御部３５から送信された管理権限変更指示信号を通信制御部４４により受信すると（ステップＳ４）、ＣＰＵ４１は、受信された管理権限変更指示信号に基づいて、記憶部４１２から管理権限変更プログラムｃ２を読み出して作業エリア４１２ａに展開し、この管理権限変更プログラムｃ２に従って、管理権限情報テーブルｂ４に記憶されている管理権限情報の上位管理者による下位管理者の管理権限を変更する（ステップＳ５）。
これにより、上位管理者による管理対象が変更されて、上位管理者端末３を介して、管理権限情報テーブルｂ４に規定された下位管理者に係るオンライン作業ファイル及び当該オンライン作業ファイルに対応付けられた作業管理データベースｂ１に接続可能となる。
【００６０】
以上のように、本実施形態の作業管理システム１００によれば、ファイルサーバ４にあっては、上位管理者端末３の通信制御部３５から送信され、上位管理者による下位管理者の管理権限の有無の変更指示に係る管理権限変更指示信号を通信制御部４４により受信して、受信された管理権限変更指示信号に基づいて、管理権限情報テーブルｂ４に記憶されている下位管理者毎の上位管理者による管理権限の有無に係る管理権限情報の管理権限を変更することができるので、上位管理者による管理対象となる下位管理者の各々を適宜変更することができ、下位管理者の管理を適正に行うことができる。これにより、オンライン作業の作業状態の管理をより効率良く行うことができる。
【００６１】
また、上位管理者端末３の表示部３３に管理権限変更指示の入力画面Ｇ５を表示して、当該入力画面Ｇ５上にて操作入力部３４を介して管理権限変更指示信号を入力することができるので、管理権限変更指示信号の入力を効率良く行うことができることとなる。従って、上位管理者による管理対象者となる下位管理者の変更をより簡便に行うことができ、作業管理システム１００をより魅力的なものとすることができる。
【００６２】
なお、本発明は、上記実施の形態に限定されることなく、本発明の趣旨を逸脱しない範囲において、種々の改良並びに設計の変更を行っても良い。
例えば、図１２〜図１５に図示された管理権限変更指示の入力画面Ｇ５は一例であり、これに限られるものではない。
また、上記実施形態では、ファイルサーバ４と作業者端末１とを接続する通信回線、ファイルサーバ４と下位管理者端末２とを接続する通信回線及びファイルサーバ４と上位管理者端末３とを接続する通信回線として、一のネットワーク５を例示したが、これに限られるものではなく、例えば、それぞれの通信回線を異ならせても良いし、作業者端末１、下位管理者端末２及び上位管理者端末３のうちの何れか二つとファイルサーバとを一の通信回線で接続するような構成としても良い。
さらに、作業管理システム１００における作業者端末１、下位管理者端末２、上位管理者端末３の個数は、図１に示したものに限られるものではなく、例えば、作業者端末１及び下位管理者端末２にあっては複数であれば良く、また、上位管理者端末３にあっては少なくとも一つであれば良い。
【００６３】
なお、本実施形態の作業管理システム１００にあっては、以下に説明する公開モード設定処理、公開モード変更処理、公開中止処理を実行可能となっている。
【００６４】
先ず、公開モード設定処理について説明する。
作業者による作業者端末１の操作入力部１４の所定操作により作業管理システム１００をオペレータモードで起動した後、例えば、操作入力部１４を介した当該作業者のＩＤ及びパスワードの入力に基づいて、当該作業管理システム１００にログインする。すると、作業者端末１の表示部１３に所定のダイアログ画面（図示略）が表示される。
【００６５】
そして、作業者による操作入力部１４の所定操作に基づいて、ダイアログ画面上にて「アクション」が選択されると、当該アクション（オンライン作業）に係る各種メニュー画面（図５参照）が表示部１３に表示される。
その後、作業者による操作入力部１４の所定操作に基づいて、メニュー画面の「Ｗｅｂ公開」が選択されると、例えば、公開条件指示画面がサブウインドウとして表示部１４に表示される。ここで、例えば、図６に示す複数の公開条件の中から、所定の公開条件が作業者により指示されると、通信制御部１５は、選択された公開条件に係る公開条件指示情報をネットワーク５を介してファイルサーバ４に対して送信する。
【００６６】
ファイルサーバ４にあっては、作業者端末１の通信制御部１５から送信された公開条件指示情報を通信制御部４４を介して受信すると、ＣＰＵ４１１は、記憶部４１２から公開モード設定プログラムｃ３を読み出して作業エリア４１２ａに展開し、この公開モード設定プログラムｃ３に従って、受信された公開条件指示情報に基づいて、権限ユーザデータベースｂ３に規定されているユーザに対してのオンライン作業ファイルの公開モードを設定する。ここで、一のジョブが複数のオンライン作業ファイルにより構成されている場合、即ち、例えば、所定のジョブに係るデータ格納ディレクトリｂ２に複数のオンライン作業ファイルが格納されている場合、何れか一のオンライン作業ファイルの公開モードが設定されると、ＣＰＵ４１１は、記憶部４１２から同公開モード設定プログラムｃ５を読み出して作業エリア４１２ａに展開し、この同公開モード設定プログラムｃ５に従って、公開モードが設定された一のオンライン作業ファイルを格納するジョブに係るデータ格納ディレクトリｂ２の公開モードを設定して、当該データ格納ディレクトリｂ２に格納されているジョブを構成する全てのオンライン作業ファイルの公開モードが一のオンライン作業ファイルの公開モードと同じになるように設定する。
【００６７】
具体的には、ＣＰＵ４１１は、先ず、認証処理として、公開条件テーブルｂ５に基づいて、例えば、権限ユーザの確認、オンライン作業が「開始」又は「中断」状態であるか、オンライン作業ファイルのＷｅｂ公開フラグが「ＯＦＦ」であるか、ジョブ情報のＷｅｂ公開フラグが「ＯＦＦ」であるか等を確認する。また、ＣＰＵ４１１は、オンライン作業ファイル及びジョブ情報をロックして、オンライン作業ファイルのロックフラグを「ＯＮ」にするとともに、ジョブ情報のＷｅｂ公開ロックフラグを「ＯＮ」に設定する。
次に、ＣＰＵ４１１は、アカウント処理として、例えば、アカウント名及び公開対象となるファイル等の登録状態を確認する。ここで、アカウントが未登録の場合には、例えば、ＣＰＵ４１１による所定の制御プログラムの実行に基づいて、日時情報等を利用して所定のアカウントを登録（設定）する。
続けて、ＣＰＵ４１１は、公開ボリューム処理として、例えば、対象ファイル、アカウント名、ボリューム（データ格納ディレクトリｂ２）のフルパス、ボリューム名（ジョブ名）、公開条件等を公開ボリュームとして登録する。
次に、ＣＰＵ４１１は、モード設定処理（状態確定処理）として、例えば、オンライン作業ファイルのＷｅｂ公開フラグを「ＯＮ」、ロックフラグを「ＯＦＦ」、ジョブ情報のＷｅｂ公開フラグを「ＯＮ」、公開制御ＩＤを所定の公開条件にセットし、Ｗｅｂ公開ロックフラグを「ＯＦＦ」にして、公開モードの設定を完了する。
【００６８】
次に、公開モード変更処理について説明する。
先ず、作業管理システム１００にログインした状態で、作業者による操作入力部１４の所定操作に基づいて、表示部１３に表示されたアクション（オンライン作業）に係る各種メニュー画面（図７参照）の「Ｗｅｂ公開」が選択されると、例えば、公開条件変更画面がサブウインドウとして表示部１３に表示される。ここで、所定の公開条件が作業者により指示されると、通信制御部１５は、公開条件の選択指示信号を公開モード変更指示情報としてネットワーク５を介してファイルサーバ４に対して送信する。
【００６９】
ファイルサーバ４にあっては、作業者端末１の通信制御部１５から送信された公開モード変更指示情報を通信制御部４４を介して受信すると、ＣＰＵ４１１は、記憶部４１２から公開モード変更プログラムｃ４を読み出して作業エリア４１２ａに展開し、この公開モード変更プログラムｃ４に従って、受信された公開モード変更指示情報に基づいて公開モードを変更する処理を行うようになっている。
具体的には、ＣＰＵ４１１は、認証処理として、公開条件テーブルｂ５に基づいて、例えば、権限ユーザの確認、オンライン作業が「開始」又は「中断」状態であるか、オンライン作業ファイルのＷｅｂ公開フラグが「ＯＮ」であるか、ジョブ情報のＷｅｂ公開フラグが「ＯＮ」であるか、公開制御ＩＤが「非ＮＵＬＬ」であるか等の確認を行う。また、ＣＰＵ４１１は、オンライン作業ファイルをロックして、オンライン作業ファイルのロックフラグを「ＯＮ」に設定する。
その後、ＣＰＵ４１１は、公開ボリューム処理として、公開条件を公開制御ＩＤにて規定された所定の公開モードに変更した後、モード設定処理として、ジョブ情報の公開制御ＩＤを所定の公開条件に変更し、オンライン作業ファイルのロックフラグを「ＯＦＦ」にして、公開モードの設定を完了する。
【００７０】
また、ジョブの公開モードが並列アクション公開モードに設定されている場合には、図示は省略するが、ファイルサーバ４のＣＰＵ４１１の制御下にて、公開条件テーブルｂ５に基づいて、例えば、権限ユーザの確認、オンライン作業が「開始」又は「中断」状態であるか、オンライン作業ファイルのＷｅｂ公開フラグが「ＯＦＦ」であるか、ジョブ情報のＷｅｂ公開フラグが「ＯＮ」であるか、公開制御ＩＤが「非ＮＵＬＬ」であるか等の確認が行われる。
次に、ＣＰＵ４１１は、オンライン作業ファイルをロックして、オンライン作業ファイルのロックフラグを「ＯＮ」に設定する。
その後、ＣＰＵ４１１は、オンライン作業ファイルのＷｅｂ公開フラグを「ＯＮ」、オンライン作業ファイルのロックフラグを「ＯＦＦ」にして処理を完了する。
【００７１】
次に、公開中止処理について説明する。
先ず、作業管理システム１００にログインした状態で、作業者による操作入力部１４の所定操作に基づいて、表示部１３に表示されたアクション（オンライン作業）に係る各種メニュー画面の「Ｗｅｂ公開中止」が選択されると、通信制御部１５は、「Ｗｅｂ公開中止」の選択指示信号を公開中止指示情報としてネットワーク５を介してファイルサーバ４に対して送信する。
【００７２】
ファイルサーバ４にあっては、作業者端末１の通信制御部１５から送信された公開中止指示情報を通信制御部４４を介して受信すると、ＣＰＵ４１１は、記憶部４１２から公開中止プログラムｃ６を読み出して作業エリア４１２ａに展開し、この公開中止プログラムｃ６に従って、受信された公開中止指示情報に基づいて所定の公開モードで公開されているオンライン作業ファイルの公開を中止させる。
具体的には、ＣＰＵ４１１は、認証処理として、公開条件テーブルｂ５に基づいて、例えば、権限ユーザの確認、オンライン作業ファイルのＷｅｂ公開フラグが「ＯＮ」であるか等の確認を行う。また、ＣＰＵ４１１は、オンライン作業ファイル及びジョブ情報をロックして、オンライン作業ファイルのロックフラグを「ＯＮ」にするとともに、ジョブ情報のＷｅｂ公開ロックフラグを「ＯＮ」に設定する。
その後、ＣＰＵ４１１は、公開ボリューム処理として、並列アクションモードに設定されているかいなかを判定し、並列アクションモードに設定されていない場合には、ボリュームのフルパスを削除する等の処理を行う。
次に、ＣＰＵ４１１は、モード設定処理として、例えば、オンライン作業ファイルのＷｅｂ公開フラグを「ＯＦＦ」、ロックフラグを「ＯＦＦ」、ジョブ情報のＷｅｂ公開フラグを「ＯＦＦ」、Ｗｅｂ公開ロックフラグを「ＯＦＦ」にして、公開モードの設定を完了する。
【００７３】
このように、ファイルサーバ４には、オンライン作業ファイルの公開対象となる権限ユーザを記憶する権限ユーザデータベースｂ３が備えられ、作業者端末１の通信制御部１５から送信され通信制御部４４により受信された、オンライン作業ファイルの公開条件を指示する公開条件指示情報に基づいて、権限ユーザデータベースｂ３に規定された権限ユーザに対してのオンライン作業ファイルの公開モードを設定することができる。
このとき、所定のジョブを構成する複数のオンライン作業ファイルのうち、何れか一のオンライン作業ファイルの公開モードの設定に基づいて、一のオンライン作業ファイル以外のジョブを構成するオンライン作業ファイルの公開モードを一のオンライン作業ファイルの公開モードと同じになるように設定することができるので、ジョブを構成する何れか一のオンライン作業ファイルの公開モードの設定を行うことにより、当該ジョブを構成する複数のオンライン作業ファイル、即ち、一のジョブに係るデータ格納ディレクトリｂ２に格納されている全てのオンライン作業ファイルの公開モードを簡便に設定することができることとなる。
これにより、設定された公開モードに従ってオンライン作業ファイルを公開することができることとなり、下位管理者や顧客等は当該オンライン作業ファイルに基づいてオンライン作業の作業状態の確認を簡便に行うことができることとなる。
【００７４】
また、公開モードの変更を指示する公開モード変更指示情報に基づいて、設定された公開モードを変更することができる。即ち、一旦設定された公開モードを変更することができることとなり、変更された公開モードに従ってオンライン作業ファイルを適正に公開することができる。
さらに、オンライン作業ファイルの公開の中止を指示する公開中止指示情報に基づいて、公開モードが設定されたオンライン作業ファイルの公開を中止させることができる。即ち、一旦公開モードが設定されたオンライン作業ファイルであっても、当該公開を適正に中止させることができる。このように、作業管理システム１００をより魅力的なものとすることができる。
【図面の簡単な説明】
【００７５】
【図１】本発明を適用した一実施形態として例示する作業管理システムを説明するための図である。
【図２】図１の作業管理システムを構成するファイルサーバの概略構成示すブロック図である。
【図３】公開条件テーブルを示す図である。
【図４】図１の作業管理システムを構成する作業者端末の概略構成を示すブロック図である。
【図５】図４の作業者端末の表示部に表示される公開モード設定処理に係る表示例を示す図である。
【図６】図５の公開モード設定処理により設定される公開モードを説明するための図である。
【図７】図４の作業者端末の表示部に表示される公開モード変更処理に係る表示例を示す図である。
【図８】図４の作業者端末の表示部に表示される公開モード設定処理に係る表示例を示す図である。
【図９】図４の作業者端末の表示部に表示される公開モード確認処理に係る表示例を示す図である。
【図１０】図１の作業管理システムを構成する下位管理者端末の概略構成を示すブロック図である。
【図１１】図１の作業管理システムを構成する上位管理者端末の概略構成を示すブロック図である。
【図１２】図１１の上位管理者端末の表示部に表示される管理権限設定処理に係る表示例を示す図である。
【図１３】図１１の上位管理者端末の表示部に表示される管理権限設定処理に係る表示例を示す図である。
【図１４】図１１の上位管理者端末の表示部に表示される管理権限設定処理に係る表示例を示す図である。
【図１５】図１１の上位管理者端末の表示部に表示される管理権限設定処理に係る表示例を示す図である。
【図１６】図１の作業管理システムによる管理権限設定処理に係る動作の一例を示すフローチャートである。
【符号の説明】
【００７６】
１００  作業管理システム
１      作業者端末
２      下位管理者端末
３      上位管理者端末
３３    表示部（表示手段）
３４    操作入力部（変更指示情報入力手段）
３５    通信制御部（変更指示情報送信手段）
４      ファイルサーバ（作業管理サーバ）
４１    制御部（管理権限変更手段）
４１２  記憶部
ｂ１    作業管理データベース
ｂ４    管理権限情報テーブル
４４    通信制御部（変更指示情報受信手段）
５      ネットワーク（通信回線）
【図１】
2006155295.tif 000003
【図２】
2006155295.tif 000004
【図３】
2006155295.tif 000005
【図４】
2006155295.tif 000006
【図５】
2006155295.tif 000007
【図６】
2006155295.tif 000008
【図７】
2006155295.tif 000009
【図８】
2006155295.tif 000010
【図９】
2006155295.tif 000011
【図１０】
2006155295.tif 000012
【図１１】
2006155295.tif 000013
【図１２】
2006155295.tif 000014
【図１３】
2006155295.tif 000015
【図１４】
2006155295.tif 000016
【図１５】
2006155295.tif 000017
【図１６】
2006155295.tif 000018